(57)【要約】  本発明は、医療分野における医用モノクロ画像を病変の検出に適した色調で表示可能とする画像表示装置、画像表示方法、及び画像表示プログラムを提供する。画像表示装置は、モノクロ画像データをＲＧＢにデータ配分して表示画像データを生成する制御部と、表示画像データに基づいてモノクロ画像を表示可能なカラー表示部と、を備え、制御部は、少なくとも画像を表示する際の最大輝度Ｌ０とその３０分の１の輝度Ｌ１の範囲内において、モノクロ画像データを、Ｒデータ＝ＫＲ・Ｂデータ（０．５＜ＫＲ≦１）、Ｇデータ＝ＫＧ・Ｂデータ（０．５＜ＫＧ≦１）、０．８５＜ＫＧ／ＫＲ＜１．２の関係を満たすように、ＲＧＢにデータ配分して表示画像データを生成する。
2007083556.tif 000002
【特許請求の範囲】
【請求項１】
モノクロ画像データをＲＧＢにデータ配分して表示画像データを生成する制御部と、
前記表示画像データに基づいてモノクロ画像を表示可能なカラー表示部と、を備え、
前記制御部は、少なくとも画像を表示する際の最大輝度Ｌ０とその３０分の１の輝度Ｌ１の範囲内において、前記モノクロ画像データを、下記（式１）及び（式２）の関係を満たすように、ＲＧＢにデータ配分して表示画像データを生成することを特徴とする画像表示装置。
Ｒデータ＝ＫＲ・Ｂデータ（０．５＜ＫＲ≦１）    （式１）
Ｇデータ＝ＫＧ・Ｂデータ（０．５＜ＫＧ≦１）    （式２）
但し、式中、係数ＫＲ及び係数ＫＧは、下記（式３）の条件を満足する。
０．８５＜ＫＧ／ＫＲ＜１．２                    （式３）
【請求項２】
前記係数ＫＲ及び前記係数ＫＧが、
１．０＜ＫＧ／ＫＲ＜１．１５
なる関係を満たすことを特徴とする請求の範囲第１項に記載の画像表示装置。
【請求項３】
所望の色調を入力する色調入力手段を備え、
前記制御部は、前記色調入力手段により入力された色調に応じて前記モノクロ画像データをＲＧＢにデータ配分し表示画像データを生成することを特徴とする請求の範囲第１項または第２項に記載の画像表示装置。
【請求項４】
観察者を識別可能な観察者識別符号を入力する観察者識別符号入力手段と、
前記観察者識別符号と前記観察者毎の所望の色調とを対応付けて記憶する記憶部と、を備え、
前記制御部は、前記観察者識別符号入力手段により入力された観察者識別符号に対応する観察者の所望の色調に応じて前記モノクロ画像データをＲＧＢにデータ配分し表示画像データを生成することを特徴とする請求の範囲第１項または第２項に記載の画像表示装置。
【請求項５】
モノクロ画像データをＲＧＢにデータ配分して生成された表示画像データに基づいてカラー表示部にモノクロ画像を表示させる画像表示方法において、
少なくとも画像を表示する際の最大輝度Ｌ０とその３０分の１の輝度Ｌ１の範囲内において、前記モノクロ画像データを、下記（式１）及び（式２）の関係を満たすように、ＲＧＢにデータ配分して表示画像データを生成することを特徴とする画像表示方法。
Ｒデータ＝ＫＲ・Ｂデータ（０．５＜ＫＲ≦１）    （式１）
Ｇデータ＝ＫＧ・Ｂデータ（０．５＜ＫＧ≦１）    （式２）
但し、式中、係数ＫＲ及び係数ＫＧは、下記（式３）の条件を満足する。
０．８５＜ＫＧ／ＫＲ＜１．２                    （式３）
【請求項６】
前記係数ＫＲ及び前記係数ＫＧが、
１．０＜ＫＧ／ＫＲ＜１．１５
なる関係を満たすことを特徴とする請求の範囲第５項に記載の画像表示方法。
【請求項７】
所望の色調が入力されると、入力された色調に応じて前記モノクロ画像データをＲＧＢにデータ配分し前記表示画像データを生成することを特徴とする請求の範囲第５項または第６項に記載の画像表示方法。
【請求項８】
観察者を識別可能な観察者識別符号が入力されると、前記観察者毎に対応付けられた所望の色調に応じて前記モノクロ画像データをＲＧＢにデータ配分し前記表示画像データを生成することを特徴とする請求の範囲第５項または第６項に記載の画像表示方法。
【請求項９】
請求の範囲第５項乃至第８項のいずれか1項に記載の画像表示方法を、コンピュータに実行させることを特徴とする画像表示プログラム。
【発明の詳細な説明】
【技術分野】
【０００１】
本発明は、画像表示装置、画像表示方法、及び画像表示プログラムに係り、特に、医療分野で用いられるいわゆるブルーベースのモノクロ画像を、診断に適した色調で表示可能とした、画像表示装置、画像表示方法、及び画像表示プログラムに関するものである。
【背景技術】
【０００２】
ＣＲ（Ｃｏｍｐｕｔｅｄ  Ｒａｄｉｏｇｒａｐｈｙ）などのＸ線診断装置、ＭＲＩ（Ｍａｇｎｅｔｉｃ  Ｒｅｓｏｎａｎｃｅ  Ｉｍａｇｉｎｇ：磁気共鳴映像法）診断装置、各種ＣＴ（Ｃｏｍｐｕｔｅｄ Ｔｏｍｏｇｒａｐｈｙ：コンピュータ断層撮影）装置などの医療用診断装置で撮影された診断画像は、通常、Ｘ線フィルムやその他のフィルム感光材料などの光透過性の画像記録フィルムに記録され、光透過性の画像として再生される。この診断画像が再生されたフィルムは、シャーカステンと呼ばれる観察用の装置にセットされて、背面から光を照射された状態で観察され、病変箇所の有無等の診断が行われる。【０００３】
また、各種の医療用診断・計測装置では、撮影・計測した画像を観察するためのモニタとして、ＣＲＴ（Ｃａｔｈｏｄｅ  Ｒａｙ  Ｔｕｂｅ）ディスプレイやＬＣＤ（Ｌｉｑｕｉｄ  Ｃｒｙｓｔａｌ  Ｄｉｓｐｌａｙ：液晶ディスプレイ）が接続されており、これらのモニタに出力された画像により、診断あるいはフィルム出力前の診断画像の確認、調整や画像処理等が行われている。【０００４】
ところで、前述の、医療用診断装置で撮影された画像をフィルム上に再生する場合、あるいは、上述の、医療用診断・計測装置で撮影・計測した画像をフィルム上に再生する場合には、フィルムとしては、通常、いわゆるブルーベースのモノクロフィルムが用いられる場合が多い。【０００５】
一方、モニタ上に表示される画像は、ホワイト（白）基準の画面に表示されるため、フィルム及びモニタの双方を観察する医師にとっては、フィルム上での観察とモニタ上での観察との感覚的な切替えがうまく行かず、いずれかの画像を見慣れた医師にとっては、他方の画像が見難いという感覚になるとの問題がある。【０００６】
上記の問題に関しては、例えば、表示された画像の色度がＣＩＥ色度座標上の座標（ｘ，ｙ）で示すとき、各座標（０．１７４，０）、（０．４，０．４）、（α，０．４）（ここで、αは、スペクトル軌跡とｙ軸方向の座標が０．４である直線との交点のｘ座標）で囲まれた領域内にあるようにして画像を表示する画像表示方法が提案されている（特許文献１及び特許文献２）。これにより、モノクロ画像をホワイト基準のモニタ画面に表示させた場合でも、ブルー系の色調の画像とすることができる。
【特許文献１】特開２０００−３３０５３０号公報
【特許文献２】特開２００１−３４２３２号公報
【発明の開示】
【発明が解決しようとする課題】
【０００７】
しかしながら、本願発明者らの検討の結果、モニタ画面に表示された画像の色度が上記領域内にあっても、ブルーの色調が強すぎる等により、必ずしも診断上好ましくない画像となる場合が多いことを見出した。【０００８】
これは、単にフィルムの色調とモニタ画面の色調のとの感覚的な切り替えができずに違和感を生じるといった不具合に留まらず、医師等の観察者が画像に映し出された病変箇所を十分に識別できない等、病変の検出性に関わる不具合であり、場合によっては誤診に繋がる重大な問題である。【０００９】
さらに、フィルムの種類によって色調は様々であり、医師によって使い慣れているフィルムの色調、好みのフィルムの色調が異なることも分かった。【００１０】
そこで、本発明は以上のような課題を解決するためになされたものであり、医療分野における医用モノクロ画像を病変の検出に適した色調で表示可能とする画像表示装置及び画像表示方法を提供することを目的とするものである。
【課題を解決するための手段】
【００１１】
上記課題を解決するため、請求の範囲第１項に記載の画像表示装置は、モノクロ画像データをＲＧＢにデータ配分して表示画像データを生成する制御部と、
前記表示画像データに基づいてモノクロ画像を表示可能なカラー表示部と、を備え、
前記制御部は、少なくとも画像を表示する際の最大輝度Ｌ０とその３０分の１の輝度Ｌ１の範囲内において、前記モノクロ画像データを、下記（式１）及び（式２）の関係を満たすように、ＲＧＢにデータ配分して表示画像データを生成することを特徴としている。
Ｒデータ＝ＫＲ・Ｂデータ（０．５＜ＫＲ≦１）    （式１）
Ｇデータ＝ＫＧ・Ｂデータ（０．５＜ＫＧ≦１）    （式２）
但し、式中、係数ＫＲ及び係数ＫＧは、下記（式３）の条件を満足する。
０．８５＜ＫＧ／ＫＲ＜１．２                    （式３）
請求の範囲第２項に記載の発明は、請求の範囲第１項に記載の画像表示装置において、前記係数ＫＲ及び前記係数ＫＧが、
１．０＜ＫＧ／ＫＲ＜１．１５
なる関係を満たすことを特徴としている。【００１２】
また、請求の範囲第３項に記載の発明は、請求の範囲第１項または第２項に記載の画像表示装置において、所望の色調を入力する色調入力手段を備え、
前記制御部は、前記色調入力手段により入力された色調に応じて前記モノクロ画像データをＲＧＢにデータ配分し表示画像データを生成することを特徴としている。【００１３】
さらに、請求の範囲第４項に記載の発明は、請求の範囲第１項または第２項に記載の画像表示装置において、観察者を識別可能な観察者識別符号を入力する観察者識別符号入力手段と、
前記観察者識別符号と前記観察者毎の所望の色調とを対応付けて記憶する記憶部と、を備え、
前記制御部は、前記観察者識別符号入力手段により入力された観察者識別符号に対応する観察者の所望の色調に応じて前記モノクロ画像データをＲＧＢにデータ配分し表示画像データを生成することを特徴としている。【００１４】
また、請求の範囲第５項に記載の画像表示方法は、モノクロ画像データをＲＧＢにデータ配分して生成された表示画像データに基づいてカラー表示部にモノクロ画像を表示させる画像表示方法において、
少なくとも画像を表示する際の最大輝度Ｌ０とその３０分の１の輝度Ｌ１の範囲内において、前記モノクロ画像データを、下記（式１）及び（式２）の関係を満たすように、ＲＧＢにデータ配分して表示画像データを生成することを特徴としている。
Ｒデータ＝ＫＲ・Ｂデータ（０．５＜ＫＲ≦１）    （式１）
Ｇデータ＝ＫＧ・Ｂデータ（０．５＜ＫＧ≦１）    （式２）
但し、式中、係数ＫＲ及び係数ＫＧは、下記（式３）の条件を満足する。
０．８５＜ＫＧ／ＫＲ＜１．２                    （式３）
請求の範囲第６項に記載の発明は、請求の範囲第５項に記載の画像表示方法において、前記係数ＫＲ及び前記係数ＫＧが、
１．０＜ＫＧ／ＫＲ＜１．１５
なる関係を満たすことを特徴としている。【００１５】
また、請求の範囲第７項に記載の発明は、請求の範囲第５項または第６項に記載の画像表示方法において、所望の色調が入力されると、入力された色調に応じて前記モノクロ画像データをＲＧＢにデータ配分し前記表示画像データを生成することを特徴としている。【００１６】
さらに、請求の範囲第８項に記載の発明は、請求の範囲第５項または第６項に記載の画像表示方法において、観察者を識別可能な観察者識別符号が入力されると、前記観察者毎に対応付けられた所望の色調に応じて前記モノクロ画像データをＲＧＢにデータ配分し前記表示画像データを生成することを特徴としている。【００１７】
また、請求の範囲第９項に記載の発明は、請求の範囲第５項乃至第８項のいずれか1項に記載の画像表示方法を、コンピュータに実行させることを特徴としている。
【発明の効果】
【００１８】
請求の範囲第１項、請求の範囲第５項、及び請求の範囲第９項に記載された発明によれば、モノクロ画像データから、ブルーベースのフィルムの色調に近く、適度な色度となるような表示画像データを生成するので、観察者である医師等にとってフィルムの色調とモニタ画面の色調のとの感覚的な違和感が少なく診断に適した表示形態（特性）で液晶パネル等のカラー表示部に表示させることが可能となる。また、医師等がモニタ画面上で病変箇所を十分に識別することができ、適切に病変の検出を行うことが可能となるとの効果を奏する。【００１９】
特に、画像を表示する際の最大輝度Ｌ０とその３０分の１の輝度Ｌ１の範囲内は、人の目が色調の違いに特に敏感である濃度範囲（輝度範囲）であるため、少なくともこの濃度範囲（輝度範囲）において色調の調整を行うことにより、より顕著な効果が期待できる。【００２０】
請求の範囲第２項及び請求の範囲第６項に記載された発明によれば、モノクロ画像データから、ブルーベースのフィルムの色調に近く、適度な色度となるような表示画像データを生成するので、観察者である医師等にとってフィルムの色調とモニタ画面の色調のとの感覚的な違和感が少なく診断に適した表示形態（特性）でカラー表示部に表示させることが可能となる。また、医師等がモニタ画面上で病変箇所を十分に識別することができ、適切に病変の検出を行うことが可能となるとの効果を奏する。【００２１】
請求の範囲第３項及び請求の範囲第７項に記載された発明によれば、フィルムの種類によって様々な色調があり、観察者である医師によって使い慣れているフィルムの色調、好みのフィルムの色調が異なる場合でも、所望の色調を入力し、これに基づいて表示画像データを生成するので、モニタ画面上に観察者の好みに合った色調の画像を表示させることができるとの効果を奏する。【００２２】
請求の範囲第４項及び請求の範囲第８項に記載された発明によれば、フィルムの種類によって様々な色調があり、観察者である医師によって使い慣れているフィルムの色調、好みのフィルムの色調が異なる場合でも、所望の色調が対応付けられた観察者識別符号を入力し、これに基づいて観察者ごとの所望の色調の表示画像データを生成するので、モニタ画面上に観察者の好みに合った色調の画像を表示させることができるとの効果を奏する。【００２３】
請求の範囲第９項に記載の発明は、請求の範囲第５項乃至第８項のいずれか1項に記載の画像表示方法を、コンピュータに実行させることができるとの効果を奏する。
【図面の簡単な説明】
【００２４】
【図１】本発明に係る画像表示装置の一実施形態の概略構成を模式的に示したブロック図である。
【図２】図１に示した画像表示装置の制御部の概略構成を示すブロック図である。
【図３】本実施形態における表示画像データの色度の好ましい存在領域を示す図である。
【図４】各種フィルムの色調を表すデータを示した図である。
【図５】ＲＧＢデータをフレームデータに配分する配分例を示した図である。
【図６】本実施形態における画像処理を説明するタイミングチャートである。
【図７】図１に示した画像表示装置の変形例の概略構成を模式的に示したブロック図である。
【図８】図１に示した画像表示装置の変形例の概略構成を模式的に示したブロック図である。
【符号の説明】
【００２５】
１  画像表示装置
２  液晶パネル
３  液晶駆動部
４  バックライト
５  制御部
６  インターフェース
７  画像供給装置
９  データ処理部
１１  フレーム切替部
【発明を実施するための最良の形態】
【００２６】
以下、図１から図６を参照しつつ、本発明の一実施形態について説明する。ただし、発明の範囲は、図示例に限定されない。【００２７】
図１は、本発明に係る画像表示装置１の一実施形態の概略構成を示した図である。本実施形態において、画像表示装置１は、例えば医療用診断装置のモニタであり、図１に示すように、液晶により画像を表示するカラー表示部としての液晶パネル（ＬＣＤ（Ｌｉｑｕｉｄ  Ｃｒｙｓｔａｌ  Ｄｉｓｐｌａｙ））２と、液晶パネルを駆動させる表示駆動部としての液晶駆動部３とを備えている。【００２８】
本実施形態に適用可能な液晶パネル２の種類は特に限定されず、また、液晶駆動部３が液晶パネル２を駆動させる方式についてもＴＮ（Ｔｗｉｓｔｅｄ  Ｎｅｍａｔｉｃ）方式、ＳＴ（Ｓｕｐｅｒ  Ｔｗｉｓｔｅｄ  Ｎｅｍａｔｉｃ）方式、ＭＶＡ（Ｍｕｌｔｉ‐ｄｏｍａｉｎ  Ｖｅｒｔｉｃａｌ  Ａｌｉｇｎｅｍｅｎｔ ）方式等の各種の駆動方式のものを適用することができる。【００２９】
また、画像表示装置１は非観察側から液晶パネル２に光を照射するバックライト４を備えている。バックライト４は、液晶パネル２を照明するに足りる光を提供し得るものであればよく、例えば、ＬＥＤ、冷陰極蛍光管、熱陰極蛍光管、その他の発光素子等を適用可能であるが、医療用途のモニタにも好適に利用可能なように、表示最大輝度が２００〜５０００ｃｄ／ｍ2であることが好ましい。【００３０】
また、画像表示装置１には、例えばＣＰＵ（Ｃｅｎｔｒａｌ  Ｐｒｏｃｅｓｓｉｎｇ    Ｕｎｉｔ）、各種の制御プログラム等を格納するＲＯＭ（Ｒｅａｄ  Ｏｎｌｙ  Ｍｅｍｏｒｙ）、画像データ等を一時記憶するＲＡＭ（Ｒａｎｄｏｍ  Ａｃｃｅｓｓ  Ｍｅｍｏｒｙ）（いずれも図示せず）等を有し、前記液晶駆動部３を制御する制御部５、及び制御部５と外部機器とを接続するインターフェース（Ｉ／Ｆ）６が設けられている。【００３１】
本実施形態に係る画像表示装置１においては、モノクロの診断画像データの供給源となる各種の画像供給装置７が、インターフェース６を介して画像表示装置１の制御部５と接続される。画像表示装置１に接続される画像供給装置７としては、例えば、ＣＲ（Ｃｏｍｐｕｔｅｄ  Ｒａｄｉｏｇｒａｐｈｙ）などのＸ線診断装置、ＭＲＩ（Ｍａｇｎｅｔｉｃ  Ｒｅｓｏｎａｎｃｅ  Ｉｍａｇｉｎｇ）診断装置、各種ＣＴ（Ｃｏｍｐｕｔｅｄ  Ｔｏｍｏｇｒａｐｈｙ）装置等の各種医療用診断装置があるが、画像供給装置７はここに例示したものに限定されず、ネットワークで接続された画像サーバーなどの画像記憶装置でも良い。【００３２】
次に、本実施形態における制御部５について、図２を参照しつつ説明する。【００３３】
図２に示すように、制御部５は、インターフェース６を介して画像供給装置７から入力される画像データを格納する第１フレームメモリ（Ｆｌａｍｅ  Ｍｅｍｏｒｙ：図２において「ＦＭ」とする）８、第１フレームメモリ８に格納された画像データをＲＧＢにデータ配分して表示画像データ（ＲＧＢデータ）に変換するとともに、この表示画像データ（ＲＧＢデータ）をＦＲＣ（Ｆｌａｍｅ  Ｒａｔｅ  Ｃｏｎｔｒｏｌ：時分割）表示するためのフレームデータに配分するデータ処理部９、データ処理部９により配分されたフレームデータを格納する４つの第２フレームメモリ（ＦＭ）１０ａ，１０ｂ，１０ｃ，１０ｄ、ＦＲＣ表示する際に第２フレームメモリ１０ａ，１０ｂ，１０ｃ，１０ｄに格納された表示画像データを順次切替えて液晶駆動部３に出力するフレーム切替部１１とを有する。【００３４】
ここでＦＲＣ表示とは、階調分解能（ビット数）の高い画像データを表示装置を用いて表示する際に、ビット数の高い画像データから、両者のビット数の差に応じた数の、ビット数の低い画像データ群を生成して、この画像データ群を、順次、表示することにより、ビット数の低い画像表示装置で高いビット数に相当する階調表現を行うものである。【００３５】
具体的には、データ処理部９が、ビット数の差をｎとするとき２nのフレーム数の、ビット数の低い画像データ群を生成して、このビット数の低い画像データを、順次、表示することで、例えば、８ビットの階調分解能の画像４フレームを用いて、１０ビットの階調分解能に相当する階調表現を行う。そして、これにより、高輝度であっても、アーチファクトのない画像を表示することが可能となる。【００３６】
まず、１０ビットの階調分解能を有する画像データを、８ビットの階調分解能で表示する実施形態について説明する。本実施形態においては、画像供給装置７からインターフェース６を介して１０ビットの階調分解能を有するモノクロ画像データが制御部５に供給される。また、画像表示装置１は、８ビットの階調分解能で画像の表示を行うものであるとする。このため、１０ビットのモノクロ画像データは、第１フレームメモリ８に格納された後、データ処理部９に読み出されて、８ビットの表示画像データに変換される。【００３７】
すなわち、本実施形態においてデータ処理部９は、元の１０ビットのモノクロ画像データ（元画像データ）の０〜１０２３までの１０２４個のデータを、
Ｂデータ＝元画像データ／４（小数点以下切り捨て）
Ｒデータ＝ＫＲ×Ｂデータ（小数点以下切り捨て）
Ｇデータ＝ＫＧ×Ｂデータ（小数点以下切り捨て）    …  式（１）
となるようにＲＧＢの各々にデータ配分することにより８ビットの表示画像データに変換する。【００３８】
８ビットの階調分解能で表示を行なう場合にはＦＲＣ表示を行なわないので、各フレームメモリ１０ａ，１０ｂ，１０ｃ，１０ｄに同じ表示画像データを格納すればよい。この際、０．５＜ＫＲ≦１．０、０．５＜ＫＧ≦１．０の関係を満たす値とする。【００３９】
ここで、各種ブルーベースのモノクロフィルムの画像をシャーカステンを用いて表示する際の色調を図３に示す。フィルムは光熱銀塩方式のフィルム３種と熱銀塩方式のフィルム１種、色素をマイクロカプセルに含ませた感熱方式のフィルム１種類を用いた。また、シャーカステンの光源は、色調の異なる３種類の蛍光灯（白色：色温度４２００Ｋ、昼白色：色温度５０００Ｋ、昼光色：色温度６５００Ｋ）を用いている。図３に示す座標は、ＣＩＥ色度の座標（ｘ，ｙ）であり、図３の左下（ｘ，ｙの値が小さい）ほど青味が強い。【００４０】
図４は、図３の一部を拡大したものであり、それぞれのプロットが各フィルム、各光源、フィルム中の各濃度における色度の実測値を示している。【００４１】
この点、特開２０００−３３０５３０号公報及び特開２００１−３４２３２号公報には、表示された画像の色度が、ＣＩＥ色度座標上の各座標（０．１７４，０）、（０．４，０．４）、（α，０．４）（ここで、αは、スペクトル軌跡とｙ軸方向の座標が０．４である直線との交点のｘ座標）で囲まれた領域内にある場合が開示されている。【００４２】
しかし、発明者は、各種ブルーベースのモノクロフィルムをシャーカステンにかけて観察する場合、画像の色度は、図４に示すように、特開２０００−３３０５３０号公報及び特開２００１−３４２３２号公報に開示されている領域よりもかなり狭い領域に集中していることを見出した。図４に示した色度は、各フィルム種、各光源、フィルム中の各濃度における色度を実測した結果である。【００４３】
そして、色度の測定誤差、フィルム色調のばらつきと経時変化、シャーカステン光源のばらつきと経時変化、人の目の色度分解能を考慮すると、図３及び図４の測定データに対して、ｘ，ｙともに約±０．０１〜０．０２程度の余裕を持たせることが好ましい。この結果、フィルムを観察する際の色調を再現する好ましい色度は、少なくとも画像を表示する際の最大輝度Ｌ０とその３０分の１の輝度Ｌ１の範囲内において、表示された画像の色度が、ＣＩＥ色度座標上の座標（ｘ，ｙ）で示すとき、各座標（０．２，０．２７５）、（０．２７５，０．２２５）、（０．３２５，０．４）、（０．４，０．３５）で囲まれた領域内にある場合である。【００４４】
そこで、本実施形態に係る画像表示装置１においては、この色度範囲を実現するために、
モノクロ画像データ（元画像データ）を前述の式（１）を用いてＲＧＢの各々のデータに配分する際、係数ＫＲ及び係数ＫＧを、０．５＜ＫＲ≦１．０、０．５＜ＫＧ≦１．０、さらに、０．８５＜ＫＧ／ＫＲ＜１．２の条件を満たす値に設定するものである。なお、ＫＧ／ＫＲは、１．０＜ＫＧ／ＫＲ＜１．１５の関係を満たすことがより好ましい。【００４５】
なお、画像を表示する際の最大輝度とその３０分の１の輝度の範囲は、フィルムで観察する際の濃度範囲にすると約０．２から約１．７に相当し、人の目は、この濃度範囲（輝度範囲）における色調の違いに特に敏感である。したがって「少なくとも画像を表示する際の最大輝度Ｌ０とその３０分の１の輝度Ｌ１の範囲内において」色調を厳密に調整することが好ましい。【００４６】
本実施形態に係る画像表示装置１においては、前述のようにデータ処理部９によってＲＧＢにデータ配分された表示画像データを、制御部５から液晶パネル２の液晶駆動部３に供給することにより、液晶パネル２に、ブルーの色味が画像の濃度に応じて変化するようにモノクロ画像を表示することが可能になる。【００４７】
なお、上記説明においては、画像供給装置７から供給される１０ビットの階調分解能を有する画像データを、画像表示装置１においては、８ビットの階調分解能で画像の表示を行うようにした場合を例としたが、以下に説明するように、前述のＦＲＣ表示機能を用いて、画像供給装置７から供給される１０ビットの階調分解能を有する画像データを、画像表示装置１においても、１０ビットの階調分解能で表示するようにしてもよい。【００４８】
この場合、データ処理部９は、先に説明したＦＲＣ表示機能を用いて、画像供給装置７から供給される１０ビットの階調分解能を有する画像データを、４フレームの８ビットの階調分解能を有する画像で表示するように動作する。【００４９】
例えば、前述の元のモノクロ画像データ（元画像データ）を、８ビット×４フレームのＦＲＣ表示で１０ビット表示する場合には以下のようになる。【００５０】
すなわち、この場合にはデータ処理部９は、まず、元の１０ビットのモノクロ画像データ（元画像データ）である０〜１０２３までの１０２４個のデータを、
Ｂデータ＝元画像データ
Ｒデータ＝ＫＲ×Ｂデータ（小数点以下切り捨て）
Ｇデータ＝ＫＧ×Ｂデータ（小数点以下切り捨て）    …  式（２）
となるようにＲＧＢにデータ配分することにより８ビットの表示画像データに変換する。
ここでも、係数ＫＲ及び係数ＫＧを、０．５＜ＫＲ≦１．０、０．５＜ＫＧ≦１．０、さらに、０．８５＜ＫＧ／ＫＲ＜１．２の条件を満たす値に設定する。【００５１】
また、データ処理部９は、前記式（２）に示すようにＲＧＢにデータ配分された表示画像データ（ＲＧＢデータ）を、ＦＲＣ表示を行うために複数のＦＲＣフレーム（時分割フレーム）のデータ（フレームデータ）に配分する。【００５２】
図５は、ＦＲＣ表示を行うための第２フレームメモリ（図５及び図６において「ＦＭ」とする）１０ａ，１０ｂ，１０ｃ，１０ｄが４つある場合に、各第２フレームメモリ１０ａ，１０ｂ，１０ｃ，１０ｄに配分されるフレームデータの例を示したものである。【００５３】
前述のように、１０ビットの画像表示は、８ビット×４フレームの時分割表示で実現することができる。すなわち、図６に示すように、例えば、１０ビットの表示画像データ（ＲＧＢデータ）「５０９」は、「１２８，１２７，１２７，１２７」の４フレームの８ビットの画像データで表現できる。同様に、１０ビットの表示画像データ（ＲＧＢデータ）「５１０」は「１２８，１２７，１２８，１２７」の４フレームで、表示画像データ（ＲＧＢデータ）「５１１」は「１２８，１２７，１２８，１２８」の４フレームで、また、表示画像データ（ＲＧＢデータ）「５１２」は「１２８，１２８，１２８，１２８」の４フレームで、それぞれ表現することができる。【００５４】
次に、本実施形態における画像表示方法について説明する。【００５５】
インターフェース６を介して画像供給装置７から１０ビットの階調分解能を有するモノクロ画像データが入力されると、画像データは第１フレームメモリ８に格納される。【００５６】
そして、第１フレームメモリ８に格納されたモノクロ画像データを、画像表示装置１においては８ビットの階調分解能で画像の表示を行う場合には、データ処理部９は、前記式（１）により、ＲＧＢにデータ配分し表示画像データを生成する。また、画像表示装置１においても、１０ビットの階調分解能で画像の表示を行う場合には、データ処理部９は、前記式（２）により、ＲＧＢにデータ配分し表示画像データを生成する。【００５７】
さらに、データ処理部９は、このようにして生成された表示画像データ（ＲＧＢデータ）を、前記図５に示すように各フレームメモリ１０ａ，１０ｂ，１０ｃ，１０ｄにフレームデータとして配分する。フレームメモリ１０ａ，１０ｂ，１０ｃ，１０ｄに格納されたフレームデータは、フレーム切替部１１が適宜フレームメモリ１０ａ，１０ｂ，１０ｃ，１０ｄを切替えることにより制御部５から順次液晶駆動部３に出力され、液晶駆動部３が制御部５から出力されたフレームデータに基づいて液晶パネル２を駆動させることにより、画像表示装置１の液晶パネル２にブルーベースのモノクロフィルムに近い色調の画像が表示される。【００５８】
以上のように、本実施形態によれば、各種の画像供給装置から入力されたモノクロ画像データから、ブルーベースのフィルムの色調に近く、適度な色度となるように表示画像データが生成されるので、観察者である医師等にとってフィルムの色調とモニタ画面の色調のとの感覚的な違和感が少なく診断に適した表示形態（特性）で液晶パネル２に表示させることが可能となる。【００５９】
そして、このように表示される画像の色度が適度な色度となるように調整されることによって、画像に映し出された病変箇所を十分に識別することができ、医師等がモニタ画面上で適切に病変の検出を行うことができる。【００６０】
なお、本実施形態においては、ブルーベースのモノクロフィルム上の画像を表示するのに適した一定の色調及びそれを実現するためのデータの配分割合が画像表示装置１に予め設定されていることを前提に、データ処理部９は当該一定の色調となるようにモノクロ画像データをＲＧＢにデータ配分して表示画像データを生成するものとしたが、色調は予め設定されている場合に限定されない。【００６１】
例えば、図７に示すように、画像表示装置に、観察者（医師等）が所望の色調を設定入力する色調入力手段２１、及び各色調を実現するためにモノクロ画像データをいかなる割合でＲＧＢにデータ配分するかを対応付けて記憶する記憶部２２を設ける構成としてもよい。この場合、例えば、記憶部２２には色調入力手段２１から入力される入力信号に対応するＫＲ、ＫＧの値を図示しないテーブル（Ｌｏｏｋ  Ｕｐ  Ｔａｂｌｅ：ＬＵＴ）として記憶しておくことができる。この場合、色調入力手段２１は、例えば、複数のフィルム種名を表示させ、その中から観察者が所望のフィルム種名を選択することにより色調が入力されるようにしてもよいし、複数段階の色調が表示され、その中から観察者が所望の色調を選択できるようにしてもよい。色調入力手段２１から所望の色調が入力されると、制御部５は記憶部２２から当該色調に対応するテーブルを読み出し、データ処理部９はこれを参照しつつデータ配分を行い表示画像データを生成する。【００６２】
このように観察者が所望の色調を入力できる構成とすることにより、観察者が、医療施設で従来から使用していたフィルムの種類や自分が使い慣れて馴染んでいるフィルムの色調、好みの色調に合わせて液晶表示部２に表示される画像の色調を変化させることができるため、より違和感の少ない画像が得られ、適切な診断を行うことが可能になる。【００６３】
さらに、観察者（医師等）毎に個人を特定できる観察者ＩＤ等の観察者識別符号が付与されている場合には、例えば、図８に示すように、画像表示装置が、観察者（医師等）が観察者識別符号を入力する観察者識別符号入力手段２３と記憶部２４とを有していてもよい。この場合、例えば、予め記憶部２４に、観察者識別符号に対して当該観察者の好みの色調が対応付けて記憶される。そして、観察者識別符号入力手段２３から観察者識別符号が制御部５に入力されると、制御部５は入力された観察者識別符号に対応付けられた色調を記憶部２４から読み出し、データ処理手段９は当該色調を自動的に選択して、この色調となるようにデータを配分し表示画像データを生成する。【００６４】
このように観察者が観察者識別符号を入力することにより自動的に所望の色調が選択される構成とすることによって、医療施設で従来から使用していたフィルムの種類や観察者が使い慣れて馴染んでいるフィルムの色調、好みの色調に画像が液晶表示部２に表示される。観察者によって、好みのフィルム色調や使い慣れたフィルムの色調が異なるため、観察者識別符号を入力することにより特別な設定を行うこと無しに観察者毎に色調を変えられることは便宜であり、違和感の少ない画像を容易に得られ、適切な診断を行うことが可能になる。【００６５】
なお、図７、図８においては、色調入力手段２１又は観察者識別符号入力手段２３と記憶部２２，２４を液晶パネル２を供える画像表示装置の内部に一体に設ける場合を例として説明したが、これらの全部又は一部を画像供給装置等の外部機器に供えるようにしてもよい。【００６６】
その他、本発明が上記実施の形態に限らず適宜変更可能であるのは勿論である。
【実施例】
【００６７】
次に、本発明に係る画像表示装置及び画像表示方法について、実施例を挙げて具体的に説明する。なお、本発明の実施態様はこれらに限定されるものではない。
[実施例１]
本実施例においては、図１に示す画像表示装置１として、（株）ナナオ製の３メガピクセルカラー液晶モニタ（ＦＡ−２０９０）を使用し、モノクロ画像データとしては、コニカミノルタエムジー（株）製のＲＥＧＩＵＳ  ＭＯＤＥＬ１９０を用いて撮影した１２ｂｉｔの胸部正面画像の画像データを用いた。また、輝度及び色度の測定には、コニカミノルタセンシング（株）製の輝度計（ＬＳ−１００）を使用し、視野角２°で測定した。【００６８】
また、本実施例においては、元のモノクロ画像データ（元画像データ）の０〜４０９５までの４０９６個のデータを、
Ｂデータ＝元画像データ／４（小数点以下切り捨て）
Ｒデータ＝ＫＲ×Ｂデータ（小数点以下切り捨て）
Ｇデータ＝ＫＧ×Ｂデータ（小数点以下切り捨て）    …  式（３）
となるようにＲＧＢにデータ配分する。ここで、ＫＲ＝０．９５、ＫＧ＝０．９５とした。【００６９】
また、式（３）に示すように配分された表示画像データ（ＲＧＢデータ）を、前記図５に示す配分に従って、４つのフレームメモリにそれぞれ配分し、４分割のフレームデータを生成する。これにより、前記実施形態と同様にＦＲＣ表示機能を用いて、画像表示装置において１０ｂｉｔの階調分解能に相当する階調表現を行った。
[実施例２]
ＫＲ＝０．７５、ＫＧ＝０．８５としたこと以外は、実施例１と同様に画像表示を行った。
[実施例３]
ＫＲ＝０．６０、ＫＧ＝０．５８としたこと以外は、実施例１と同様に画像表示を行った。
[比較例１]
ＫＲ＝０．４０、ＫＧ＝０．４０としたこと以外は、実施例１と同様に画像表示を行った。
[比較例２]
ＫＲ＝０．４５、ＫＧ＝１．０としたこと以外は、実施例１と同様に画像表示を行った。
[比較例３]
ＫＲ＝１．０、ＫＧ＝０．４５としたこと以外は、実施例１と同様に画像表示を行った。【００７０】
実施例１から実施例３と比較例１から比較例３のＫＲ及びＫＧを表１に示した。また、画像を表示する最大輝度Ｌ０とその３０分の１の輝度Ｌ１の範囲内において、表示された画像の色度の測定結果（ＣＩＥ色度座標上のｘ，ｙ）も併せて示した。色度は表示輝度によらず、ほぼ一定で、ｘ，ｙともに±０．０１の範囲内に収まっていた。【００７１】
【表１】
2007083556.tif 000003
【００７２】
表１において条件１から条件４は、以下の通りである。
条件１：０．５＜ＫＲ≦１
条件２：０．５＜ＫＧ≦１
条件３：０．８５＜ＫＧ／ＫＲ＜１．２
条件４：表示された画像の色度の測定値が、各座標（０．２，０．２７５）、（０．２７５，０．２２５）、（０．３２５，０．４）、（０．４，０．３５）で囲まれた領域内にある。【００７３】
また、表１の各条件の欄には、これらの条件を満たしている場合には○、満たしていない場合には×を記した。【００７４】
表１から、係数ＫＲ及び係数ＫＧが、条件１乃至３、すなわち、０．５＜ＫＲ≦１、０．５＜ＫＧ≦１、０．８５＜ＫＧ／ＫＲ＜１．２を満足する時、表示された画像の色度は、各座標（０．２，０．２７５）、（０．２７５，０．２２５）、（０．３２５，０．４）、（０．４，０．３５）で囲まれた領域内にあることが確認できる。【００７５】
表２は、４人の医師Ａ，Ｂ，Ｃ，Ｄが各実施例及び各比較例において各画像の色調を目視評価し、５段階の点数付けを行った結果を示したものである。目視評価を行うにあたり、モニタ（液晶パネル）の輝度は１．０〜２００ｃｄ／ｍ２となるように設定した。また、観察環境は、（株）カスタム製の照度計（ＬＸ−１３３０）で計測し、約２０ｌｘに設定した。これはモニタの最低輝度に影響を与えない照度である。【００７６】
【表２】
2007083556.tif 000004
【００７７】
表２において、色調が好ましい画像ほど評価数値が大きい。４人の医師の合計点を比較すると、条件１乃至条件４を全て満たしている実施例の方が明らかに比較例に対して評価が高く、色調が好ましいことがわかる。また、実施例中では、１．０＜ＫＧ／ＫＲ＜１．１５を満たす実施例２が最も評価が高く、好ましいことが分かった。なお、備考欄には医師の感想を併記した。評価数値が大きかった実施例１から実施例３については、４人の医師ともフィルムに近い色調が得られていると感じた。これに対して、評価数値が小さかった比較例１から比較例３については、それぞれ、比較例１では青味が強すぎ、比較例２では緑味が強すぎ、比較例３では赤味が強すぎると感じている。【００７８】
次に、表３は、４人の医師Ａ，Ｂ，Ｃ，Ｄが各実施例及び各比較例において各画像における肺野部にある腫瘤陰影の検出性の目視評価を行い、５段階の点数付けを行った結果を示したものである。目視評価を行うにあたっては、表２に示した目視評価と同様、モニタ（液晶パネル）の輝度は１．０〜２００ｃｄ／ｍ２となるように設定し、観察環境は、約２０ｌｘに設定した。【００７９】
【表３】
2007083556.tif 000005
【００８０】
表３において、肺野部にある腫瘤陰影の検出性が高い（腫瘤陰影が見易い）ほど評価数値が大きい。４人の医師の合計点を比較すると、条件１乃至条件４を全て満たしている実施例の方が明らかに比較例に対して評価が高く、腫瘤陰影の検出性が高いことがわかる。また、実施例中では、１．０＜ＫＧ／ＫＲ＜１．１５を満たす実施例２が最も評価が高く、好ましいことが分かった。なお、備考欄には医師の感想を併記した。評価数値が大きかった実施例１から実施例３については、４人の医師とも診断上問題がない程度の検出性であると判断したのに対して、評価数値が小さかった比較例１から比較例３については、誤診の可能性があると感じた。【００８１】
尚、医師Ａ乃至医師Ｄの合計点は実施例２が最も良かったが、個々の医師によって評価点の最も高い実施例が異なっており、医師によって好みの違いがあることが確認された。したがって、前述の様に、画像表示装置に、観察者（医師等）が所望の色調を設定入力する色調入力手段２１、及び各色調を実現するためにモノクロ画像データをいかなる割合でＲＧＢにデータ配分するかを対応付けて記憶する記憶部２２を設け、観察者が所望の色調を選択できる構成とすることが好ましい。
さらに、観察者（医師等）毎に個人を特定できる観察者ＩＤ等の観察者識別符号が付与されている場合には、前述の様に、画像表示装置に、観察者（医師等）が観察者識別符号を入力する観察者識別符号入力手段２３、及び予め観察者識別符号に対して当該観察者の好みの色調を対応付けて記憶しておく記憶部２４とを設け、観察者が観察者識別符号を入力することにより自動的に所望の色調が選択される構成とすることが好ましい。
【図１】
2007083556.tif 000006
【図７】
2007083556.tif 000007
【図８】
2007083556.tif 000008
【図２】
2007083556.tif 000009
【図３】
2007083556.tif 000010
【図４】
2007083556.tif 000011
【図５】
2007083556.tif 000012
【図６】
2007083556.tif 000013
【国際調査報告】
2007083556.tif 000014
2007083556.tif 000015
2007083556.tif 000016
2007083556.tif 000017
2007083556.tif 000018
2007083556.tif 000019